(57)【要約】      （修正有）【課題】脚上げ動作をより容易に行うことができる吸収性物品を提供する。【解決手段】吸収性物品１０は、前胴回り域の幅方向の中央に位置する前中央領域と、後胴回り域の幅方向の中央に位置する後中央領域と、前中央領域と後中央領域との間に配置されたサイド領域と、を有する。前中央領域は、前中央領域の前端縁から長手方向の全長に対する０〜３０％の前第１領域ＦＣ１と、長手方向の全長に対する３０〜６０％の前第２領域ＦＣ２と、長手方向の全長に対する６０〜８０％の前第３領域ＦＣ３と、を有する。サイド領域は、サイド領域の前端縁から長手方向の全長に対する６０〜８０％のサイド第３領域ＳＲ３と、長手方向の全長に対する８０〜１００％のサイド第４領域ＳＲ４と、を有する。前第１領域の着用時圧力及び前第２領域の着用時圧力は、前第３領域の着用時圧力よりも低く、サイド第４領域の着用時圧力は、サイド第３領域の着用時圧力よりも低い。【選択図】図３
2020025748.tif 000002
【特許請求の範囲】
【請求項１】
互いに直交する長手方向及び幅方向と、
前胴回り域、後胴回り域、及び前記前胴回り域及び前記後胴回り域との間に配置された股下域と、
前記前胴回り域の外側部と前記後胴回り域の外側部を接合するサイド接合部と、
前記前胴回り域の前記幅方向の中央に位置する前中央領域と、
前記後胴回り域の前記幅方向の中央に位置する後中央領域と、
前記前中央領域と前記後中央領域との間に配置されたサイド領域と、を有する吸収性物品であって、
前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、前記前中央領域の前端縁から前記前中央領域の前記長手方向の全長に対する６０〜８０％の前第３領域と、を有し、
前記サイド領域は、前記サイド領域の前端縁から前記サイド領域の前記長手方向の全長に対する６０〜８０％のサイド第３領域と、前記サイド領域の前端縁から前記サイド領域の前記長手方向の全長に対する８０〜１００％のサイド第４領域と、を有し、
前記前第１領域の前記吸収性物品の着用時の圧力及び前記前第２領域の前記着用時の圧力は、前記前第３領域の前記着用時の圧力よりも低く、
前記サイド第４領域の前記着用時の圧力は、前記サイド第３領域の前記着用時の圧力よりも低い、吸収性物品。
【請求項２】
前記前第３領域の前記着用時の圧力は、前記前第１領域の圧力及び前記前第２領域の前記着用時の圧力に対する１．２倍以上３．５倍以下である、請求項１に記載の吸収性物品。
【請求項３】
前記前胴回り域には、前記幅方向に伸縮する糸状又は帯状の前伸縮部材と、少なくとも前記幅方向に伸縮する伸縮シートと、が設けられており、
前記前第３領域には、前記前伸縮部材が配置されており、
前記前第１領域及び前記前第２領域には、前記伸縮シートが配置されている、請求項１又は請求項２に記載の吸収性物品。
【請求項４】
前記前第３領域には、前記前伸縮部材及び前記伸縮シートが配置されている、請求項３に記載の吸収性物品。
【請求項５】
前記サイド第３領域の前記着用時の圧力は、前記サイド第４領域の前記着用時の圧力に対する３．０倍以上である、請求項１に記載の吸収性物品。
【請求項６】
前記サイド領域は、前記サイド領域の前端縁から前記サイド領域の前記長手方向の全長に対する３０〜６０％のサイド第２領域を有し、
前記サイド第４領域の前記着用時の圧力は、前記サイド第２領域の前記着用時の圧力よりも低い、請求項１から請求項５のいずれか１項に記載の吸収性物品。
【請求項７】
前記股下域、前記前胴回り域及び前記後胴回り域に跨がって配置された吸収性本体と、
前記吸収性本体の非肌面側において、少なくとも前記後胴回り域に配置された外装体と、を有し、
前記後胴回り域の前端部には、前記吸収性本体の外側部と前記外装体が接合されていない非接合領域が設けられている、請求項１から請求項６のいずれか１項に記載の吸収性物品。
【請求項８】
前記後胴回り域の前端縁における前記吸収性本体の前記幅方向の長さは、前記前胴回り域の後端縁における前記吸収性本体の前記幅方向の長さよりも長い、請求項７に記載の吸収性物品。
【発明の詳細な説明】
【技術分野】
【０００１】
本発明は、使い捨ておむつ等の吸収性物品に関する。
【背景技術】
【０００２】
使い捨ておむつ等の吸収性物品は、身体の腹側及び背側を覆うように装着される。着用者の脚回りに対するフィット性を改善し、着用者が脚を上下に動かし易い吸収性物品が知られている（下記特許文献１）。特許文献１の吸収性物品は、前胴回り域の内端縁に沿って吸収体を横断するように配置された伸縮性シートを有する。前胴回り域の内端縁から長手方向に延びる一定の領域では、伸縮性シートが配置され、糸ゴムが配置されていない。伸縮性シートが着用者の腹部に面状にフィットされ、着用者が脚を上げた状態において前胴回り域が局所的にフィットし難くなる。よって、腹部における伸長応力の集中を抑制し、着用者が脚を上下に動かし易くなる。
【先行技術文献】
【特許文献】
【０００３】
【特許文献１】特開２０１７−１２４６１号
【発明の概要】
【発明が解決しようとする課題】
【０００４】
しかし、近年、使用者の吸収性物品に対する要求がより高まっており、着用者が脚上げ動作をより容易に行うことができる吸収性物品が望まれる。
【０００５】
そこで、脚上げ動作をより容易に行うことができる吸収性物品を提供することを目的とする。
【課題を解決するための手段】
【０００６】
一態様に係る吸収性物品は、互いに直交する長手方向及び幅方向と、前胴回り域、後胴回り域、及び前記前胴回り域及び前記後胴回り域との間に配置された股下域と、前記前胴回り域の外側部と前記後胴回り域の外側部を接合するサイド接合部と、前記前胴回り域の前記幅方向の中央に位置する前中央領域と、前記後胴回り域の前記幅方向の中央に位置する後中央領域と、前記前中央領域と前記後中央領域との間の前記幅方向の中央に位置するサイド領域と、を有する吸収性物品であって、前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、前記前中央領域の前端縁から前記前中央領域の前記長手方向の全長に対する６０〜８０％の前第３領域と、を有し、前記サイド領域は、前記サイド領域の前端縁から前記サイド領域の前記長手方向の全長に対する６０〜８０％のサイド第３領域と、前記サイド領域の前端縁から前記サイド領域の前記長手方向の全長に対する８０〜１００％のサイド第４領域と、を有し、前記前第１領域の着用時の圧力及び前記前第２領域の前記着用時の圧力は、前記前第３領域の前記着用時の圧力よりも低く、前記サイド第４領域の前記着用時の圧力は、前記サイド第３領域の前記着用時の圧力よりも低い。
【図面の簡単な説明】
【０００７】
【図１】実施形態に係る吸収性物品の平面図である。
【図２】実施形態に係る吸収性物品の前中央領域、サイド領域及び後中央領域及を示した図である。
【図３】実施形態に係る吸収性物品の装着状態を模式的に示した図である。
【図４】実施形態に係る吸収性物品の装着状態を模式的に示した図である。
【図５】実施形態に係る吸収性物品の装着状態を模式的に示した図である。
【発明を実施するための形態】
【０００８】
（１）実施形態の概要
本明細書及び添付図面の記載により、少なくとも以下の事項が明らかとなる。
一態様に係る吸収性物品は、互いに直交する長手方向及び幅方向と、前胴回り域、後胴回り域、及び前記前胴回り域及び前記後胴回り域との間に配置された股下域と、前記前胴回り域の外側部と前記後胴回り域の外側部を接合するサイド接合部と、前記前胴回り域の前記幅方向の中央に位置する前中央領域と、前記後胴回り域の前記幅方向の中央に位置する後中央領域と、前記前中央領域と前記後中央領域との間の前記幅方向の中央に位置するサイド領域と、を有する吸収性物品であって、前記前中央領域は、前記前中央領域の前端縁から前記前中央領域の前記長手方向の全長に対する０〜３０％の前第１領域と、前記前中央領域の前端縁から前記前中央領域の前記長手方向の全長に対する３０〜６０％の前第２領域と、前記前中央領域の前端縁から前記前中央領域の前記長手方向の全長に対する６０〜８０％の前第３領域と、を有し、前記サイド領域は、前記サイド領域の前端縁から前記サイド領域の前記長手方向の全長に対する６０〜８０％のサイド第３領域と、前記サイド領域の前端縁から前記サイド領域の前記長手方向の全長に対する８０〜１００％のサイド第４領域と、を有し、前記前第１領域の着用時の圧力及び前記前第２領域の前記着用時の圧力は、前記前第３領域の前記着用時の圧力よりも低く、前記サイド第４領域の前記着用時の圧力は、前記サイド第３領域の前記着用時の圧力よりも低い。
【０００９】
前第１領域及び前第２領域は、着用者の腹部の膨らみに対向して配置され、前第３領域は、着用者の腹部の下端の凹みに対向して配置される。前第１領域の着用時の圧力及び前第２領域の圧着用時の力が前第３領域の着用時の圧力よりも低く、前第３領域において着用者の腹部の下端の凹みに対するフィット性を確保しつつ、前第１領域及び前第２領域において腹部の膨らみに対する締め付けを抑制できる。着用者が脚を上げる動作では、脚と腹部のそれぞれが互いに近づくように変形する。このとき、腹部の膨らみを締め付けないため、腹部が変形し易く、脚を上げ易くなる。
【００１０】
また、サイド第４領域は、脚の付け根に対向して配置される。サイド第４領域は、サイド第３領域よりも脚回り開口部側に配置され、着用者が脚を上下に動かす動作において力をより受けやすい。サイド第４領域の着用時の圧力がサイド第３領域の着用時の圧力よりも低く、サイド第３領域において身体に対するフィット性を確保しつつ、サイド第４領域において脚の上下の動きを阻害しない。よって、着用者が脚を上下に動かし易くなる。
【００１１】
好ましい一態様によれば、前記前第３領域の前記着用時の圧力は、前記前第１領域の圧力及び前記前第２領域の前記着用時の圧力に対する１．２倍以上３．５倍以下であってよい。
【００１２】
本態様によれば、前第３領域の前記着用時の圧力が前第１領域の前記着用時の圧力及び前第２領域の前記着用時の圧力に対する１．２倍以上であるため、腹部に対するフィット性を確保し、腹部全体のずれを抑制できる。吸収性物品を身体の適切な位置に装着し続けることができ、着用者が脚上げ動作を動かし易い状態を維持できる。また、前第３領域の圧力が前第１領域の圧力及び前第２領域の圧力に対する３．５倍以下であるため、腹部の下端の凹みに対して吸収性物品が密着し過ぎず、着用者がより身体を動かし易くなる。
【００１３】
好ましい一態様によれば、前記前胴回り域には、前記幅方向に伸縮する糸状又は帯状の前伸縮部材と、少なくとも前記幅方向に伸縮する伸縮シートと、が設けられており、前記前第３領域には、前記前伸縮部材が配置されており、前記前第１領域及び前記前第２領域には、前記伸縮シートが配置されてよい。
【００１４】
本態様によれば、伸縮シートが配置された部分は、全体的に面でフィットし、糸状又は帯状の前伸縮部材が配置された部分は、局所的にフィットする。腹部の膨らみを覆うように吸収性物品を配置するとともに、腹部の下端の凹みに対して局所的にフィットすることにより、腹部を圧迫することなく吸収性物品のずれを抑制し、着用者が脚上げ動作を動かし易い状態を維持できる。
【００１５】
好ましい一態様によれば、前記前第３領域には、前記前伸縮部材及び前記伸縮シートが配置されてよい。
【００１６】
本態様によれば、前第３領域には、伸縮シートと前伸縮部材の両方が配置され、より圧力が高くなる。腹部の下端の凹みに対する締め付けと腹部の膨らみに対する締め付けとの差が大きくでき、腹部を圧迫することなく吸収性物品のずれを抑制し、着用者が脚上げ動作を動かし易い状態を維持できる。
【００１７】
好ましい一態様によれば、前記サイド第３領域の前記着用時の圧力は、前記サイド第４領域の前記着用時の圧力に対する３．０倍以上であってよい。
【００１８】
本態様によれば、サイド第４領域の圧力がサイド第３領域の圧力に対する３．０倍以上であるため、腹部に対するフィット性を確保し、腹部全体のずれを抑制できる。着用者が脚上げ動作を動かし易い状態を維持できる。
【００１９】
好ましい一態様によれば、前記サイド領域は、前記サイド領域の前端縁から前記サイド領域の前記長手方向の全長に対する３０〜６０％のサイド第２領域を有し、前記サイド第４領域の前記着用時の圧力は、前記サイド第２領域の前記着用時の圧力よりも低くてよい。
【００２０】
本態様によれば、サイド第４領域の前記着用時の圧力がサイド第２領域の前記着用時の圧力よりも低く、サイド第２領域において身体に対するフィット性を確保しつつ、サイド第４領域において脚の上下の動きを阻害しない。よって、着用者が脚を上下に動かし易くなる。
【００２１】
好ましい一態様によれば、前記股下域、前記前胴回り域及び前記後胴回り域に跨がって配置された吸収性本体と、前記吸収性本体の非肌面側において、少なくとも前記後胴回り域に配置された外装体と、を有し、前記後胴回り域の前端部には、前記吸収性本体の外側部と前記外装体が接合されていない非接合領域が設けられてよい。
【００２２】
本態様によれば、吸収性本体の外側部と後胴回り部材の前端部が接合されていない非接合領域を設けることにより、着用時に着用者が脚を動かした際に脚回り開口部が広がるように変形でき、着用者が脚をスムーズに動かすことができる。
【００２３】
好ましい一態様によれば、前記後胴回り域の前端縁における前記吸収性本体の前記幅方向の長さは、前記前胴回り域の後端縁における前記吸収性本体の前記幅方向の長さよりも長くてよい。
【００２４】
本態様によれば、前胴回り域における前記吸収性本体の幅方向の長さが短いため、前胴回り域と後胴回り域で吸収性本体の幅方向の長さが同じ構成と比較して、脚回り開口部の寸法を大きくし、着用者が脚を動かし易くなる。また、後胴回り域における前記吸収性本体の幅方向の長さは、前記前胴回り域における前記吸収性本体の幅方向の長さよりも長く、着用者の臀部の膨らみを適切に覆い易い。身体に対するフィットを確保し、ずれを抑制できる。また、後胴回り域において吸収性本体の幅方向の長さを確保しても、非接合領域が設けられていることにより、脚の動かしやすさを維持できる。
【００２５】
（２）吸収性物品の全体概略構成
以下、図面を参照して、実施形態に係る吸収性物品について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２６】
吸収性物品は、パンツ型の吸収性物品であり、使い捨ておむつ及びショーツ型ナプキンであってよい。実施形態の吸収性物品は、パンツ型の使い捨ておむつである。図１は、本実施形態に係る使い捨ておむつ１０の模式平面図である。図１に示す模式平面図は、後述するサイド接合部６０を展開した状態において吸収性物品１０を皺が形成されない状態まで伸長させた伸長状態を示している。
【００２７】
吸収性物品１０は、互いに直交する長手方向Ｌ及び幅方向Ｗを有する。長手方向Ｌは、身体前側と身体後側とに延びる方向によって規定される。言い換えると、長手方向Ｌは、展開された吸収性物品１０において前後に延びる方向である。また、吸収性物品１０は、長手方向Ｌと幅方向Ｗの両方の直交する厚み方向を有する。
【００２８】
吸収性物品１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。
【００２９】
本実施形態では、吸収性物品１０は、外装体と、吸収性本体４０と、を有していてよい。外装体は、吸収性本体４０の非肌面側に配置される。外装体は、少なくとも後胴回り部材３０を有し、前胴回り部材２０を有してもよい。前胴回り部材２０は、前胴回り域Ｓ１に配置されている。後胴回り部材３０は、後胴回り域Ｓ２に配置されている。前胴回り部材２０及び後胴回り部材３０は、例えば不織布のようなシートから構成されていてよい。
【００３０】
幅方向Ｗにおける前胴回り域Ｓ１の外側部と、幅方向Ｗにおける後胴回り域Ｓ２の外側部と、が接合されたサイド接合部６０が設けられていている。サイド接合部６０は、幅方向Ｗにおける前胴回り域Ｓ１の端部と、幅方向Ｗにおける後胴回り域Ｓ２の端部とを互いに係止した部分によって規定される。
【００３１】
サイド接合部６０が形成された状態で、吸収性物品１０には、着用者の胴が通される胴回り開口部と、着用者の脚がそれぞれ挿入される一対の脚回り開口部７２（図３参照）と、が形成される。胴回り開口部は、前胴回り域Ｓ１の前端縁と、後胴回り域Ｓ２の後端縁とによって規定されていてよい。
【００３２】
ここで、図１は、サイド接合部６０における接合を解除し、吸収性物品１０を展開した状態を示している。サイド接合部６０は、前胴回り部材２０及び後胴回り部材３０のそれぞれにおいて、長手方向Ｌに沿って延びていてよい。この場合、前胴回り域Ｓ１と股下域Ｓ３との境界は、前胴回り部材２０に設けられたサイド接合部６０の後端縁によって規定されていてよい。同様に、後胴回り域Ｓ２と股下域Ｓ３との境界は、後胴回り部材３０に設けられたサイド接合部６０の前端縁によって規定されていてよい。
【００３３】
後胴回り域Ｓ２には、幅方向Ｗに伸縮可能な後伸縮部材３２が配置されていてよい。後伸縮部材３２は、幅方向Ｗに伸縮可能な糸状又は帯状のゴムによって構成されてよい。後伸縮部材３２は、幅方向Ｗに沿っており、長手方向Ｌに間隔を空けて複数配置されてよい。なお、本実施の形態において、後伸縮部材３２は、幅方向に伸縮可能な状態で配置された部材であって、幅方向に伸縮できない状態で配置された部材を含まない。また、後胴回り域Ｓ２には、少なくとも幅方向に伸縮する伸縮シートが配置されてよい。伸縮シートは、後胴回り部材３０自体によって構成され、後胴回り域の全域に配置されてよい。後胴回り域Ｓ２には、伸縮シートが配置されてなく、後伸縮部材３２のみが配置されていてよい。後伸縮部材３２が配置された領域における着用時の圧力（以下、着用時圧力とする）は、後伸縮部材３２が配置されていない領域における着用時圧力よりも高くなり易い。また、他の形態において、後胴回り域Ｓ２には、伸縮シートが配置され、かつ後伸縮部材３２が配置されていない領域と、後伸縮シートと後伸縮部材３２の両方が配置された領域と、が設けられていてもよい。後伸縮シートと後伸縮部材３２の両方が配置された領域における着用時圧力は、伸縮シートのみが配置された領域における着用時圧力よりも高くなり易い。なお、着用時圧力については、後述にて詳細に説明する。
【００３４】
前胴回り域Ｓ１には、幅方向Ｗに伸縮可能な前伸縮部材２２が配置されていてよい。前伸縮部材２２は、幅方向Ｗに伸縮可能な糸状又は帯状のゴムによって構成されてよい。前伸縮部材２２は、幅方向Ｗの中央が股下域Ｓ３側に湾曲している。前伸縮部材２２は、長手方向Ｌに間隔を空けて複数配置されてよい。なお、本実施の形態において、前伸縮部材２２は、幅方向に伸縮可能な状態で配置された部材であって、幅方向に伸縮できない状態で配置された部材を含まない。また、前胴回り域Ｓ１には、少なくとも幅方向に伸縮する伸縮シートが配置されてよい。伸縮シートは、前胴回り部材２０自体によって構成され、前胴回り域Ｓ１の全域に配置されてよい。前胴回り域Ｓ１には、伸縮シートが配置され、かつ前伸縮部材２２が配置されてない領域と、伸縮シートと前伸縮部材２２の両方が配置された領域と、が設けられてよい。伸縮シートと前伸縮部材２２の両方が配置された領域における着用時圧力は、伸縮シートのみが配置された領域における着用時圧力よりも高くなり易い。また、他の形態において、前胴回り域Ｓ１には、伸縮シートが配置されてなく、前伸縮部材２２のみが配置されていてよい。前伸縮部材２２が配置された領域における着用時圧力は、前伸縮部材２２が配置されていない領域における着用時圧力よりも高くなり易い。
【００３５】
吸収性本体４０は、前胴回り部材２０と後胴回り部材３０とに跨って配置されている。すなわち、吸収性本体４０は、前胴回り域Ｓ１、後胴回り域Ｓ２及び股下域Ｓ３にわたって延びている。吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。
【００３６】
吸収性本体４０は、少なくとも吸収コア５０を含んでいる。吸収コア５０は、例えば粉砕パルプもしくは高吸収性ポリマー（ＳＡＰ）、又はこれらの混合物を含んでいてよい。吸収コア５０は、少なくとも股下域Ｓ３に配置されている。好ましくは、吸収コア５０は、長手方向Ｌにおいて、前胴回り域Ｓ１から後胴回り域Ｓ２にわたって延びていてよい。吸収コア５０は、コアラップによって覆われていてよい。さらに、吸収性本体４０は、吸収コアの肌面側に位置する肌面シート４１と、吸収コア５０の非肌面側に位置する非肌面シート（図示せず）と、幅方向Ｗにおける肌面シート４１の両側部を覆うサイドシート４３と、を有していてよい。
【００３７】
図２は、吸収性物品の前中央領域ＦＣ、サイド領域ＳＲ及び後中央領域ＲＣを模式的に示した図である。吸収性物品は、前中央領域ＦＣと、後中央領域ＲＣと、サイド領域ＳＲと、を有する。前中央領域ＦＣは、前胴回り域Ｓ１の幅方向の中央に位置する。前中央領域ＦＣの幅方向の中心は、前胴回り域Ｓ１の幅方向の中心と一致する。後中央領域ＲＣは、後胴回り域の幅方向の中央に位置する。後中央領域ＲＣの幅方向の中心は、後胴回り域Ｓ２の幅方向の中心と一致する。サイド領域ＳＲは、前中央領域ＦＣと後中央領域ＲＣとの間に位置し、サイド接合部６０を跨がっている。サイド領域ＳＲの幅方向の中心は、サイド接合部６０（前胴回り域Ｓ１と後胴回り域Ｓ２の境界）と一致してよい。前中央領域ＦＣの外側縁は、サイド領域ＳＲの外側縁に一致し、後中央領域ＲＣの外側縁は、サイド領域ＳＲの外側縁に一致する。すなわち、前中央領域ＦＣ、サイド領域ＳＲ及び後中央領域ＲＣは、連なっている。
【００３８】
本発明の前中央領域ＦＣ、サイド領域ＳＲ、後中央領域ＲＣは、次の方法によって規定できる。まず、吸収性物品１０のサイド接合部６０を解除し、吸収性物品１０を展開する。次に、吸収性物品を伸長状態まで伸長させる。伸長状態とは、弾性部材の収縮等による皺が形成されていない状態である。当該伸長状態において前胴回り域Ｓ１の幅方向の長さ及び後胴回り域Ｓ２の幅方向の長さを測定する。次いで、前胴回り域Ｓ１及び後胴回り域Ｓ２を一定幅に伸長させる。前胴回り域Ｓ１の一定幅は、伸長状態の前胴回り域Ｓ１の幅方向の長さに対する６０％の長さである。後胴回り域Ｓ２の一定幅は、伸長状態の後胴回り域Ｓ２の幅方向の長さに対する６０％の長さである。一定幅の前胴回り域において、幅方向の中心を含み、かつ幅方向の長さが５５％の領域を前中央領域とし、前中央領域と前胴回り域の外側縁との間の領域をサイド領域の一部分とする。また、一定幅の後胴回り域において、幅方向の中心を含み、かつ幅方向の長さが５５％の領域を後中央領域とし、後中央領域と後胴回り域の外側縁との間の領域をサイド領域の一部分とする。本発明のサイド領域は、前中央部の外側縁と後中央部の外側縁との間の領域である。
【００３９】
前中央領域ＦＣには、前中央領域ＦＣの長手方向の全長に対する割合で示される複数の領域が設けられてよい。前中央領域ＦＣは、前胴回り域Ｓ１の前端縁Ｓ１Ｆから０〜３０％後方に位置する前第１領域ＦＣ１と、前胴回り域Ｓ１の前端縁Ｓ１Ｆから３０〜６０％後方に位置する前第２領域ＦＣ２と、前胴回り域Ｓ１の前端縁Ｓ１Ｆから６０〜８０％後方に位置する前第３領域ＦＣ３と、前胴回り域Ｓ１の前端縁Ｓ１Ｆから８０〜１００％後方に位置する前第４領域ＦＣ４と、を有してよい。本実施形態における各領域は、伸長状態における吸収性物品の長さの割合で規定される。
【００４０】
後中央領域ＲＣには、後中央領域ＲＣの長手方向の全長に対する割合で示される複数の領域が設けられてよい。後中央領域ＲＣは、後胴回り域Ｓ２の後端縁Ｓ２Ｒから０〜３０％前方に位置する後第１領域ＲＣ１と、後胴回り域Ｓ２の後端縁Ｓ２Ｒから３０〜６０％前方に位置する後第２領域ＲＣ２と、後胴回り域Ｓ２の後端縁Ｓ２Ｒから６０〜８０％前方に位置する後第３領域ＲＣ３と、後胴回り域Ｓ２の後端縁Ｓ２Ｒから８０〜１００％後方に位置する後第４領域ＲＣ４と、を有してよい。
【００４１】
サイド領域ＳＲには、サイド領域ＳＲの長手方向の全長に対する割合で示される複数の領域が設けられてよい。サイド領域ＳＲは、サイド領域ＳＲの長手方向の外端縁（サイド接合部６０の長手方向の外端縁）から０〜３０％股下域側に位置するサイド第１領域ＳＲ１と、サイド領域ＳＲの長手方向の外端縁から３０〜６０％股下域側に位置するサイド第２領域ＳＲ２と、サイド領域ＳＲの長手方向の外端縁から６０〜８０％股下域側に位置するサイド第３領域ＳＲ３と、サイド領域ＳＲの長手方向の外端縁から８０〜１００％股下域側に位置するサイド第４領域ＳＲ４と、を有してよい。
【００４２】
図３〜図５は、吸収性物品が着用者に装着された状態を模式的に示した図である。図３は、側面側の装着状態を示しており、図４は、腹側の装着状態を示しており、図５は、背側の装着状態を示している。図３から図５において、着用者の身体のラインを一点鎖線ＢＬで示す。
【００４３】
図３に示すように、吸収性物品は、着用者の腰周りを覆うように装着される。着用者の腰周りには、腹部の膨らみ、臀部の膨らみ等によって様々の凹凸が形成されている。本実施の形態の吸収性物品は、凹凸に対して適切にフィットさせ、着用者が脚上げ動作をより容易に行うことができるように構成されている。吸収性物品は、前第１領域〜前第４領域、後第１領域から後第４領域、及びサイド第１領域からサイド第４領域毎に適した着用時圧力に設計されている。
【００４４】
表１に、領域毎の着用時圧力を示す。
【表１】
2020025748.tif 000003
【００４５】
前第１領域ＦＣ１の着用時圧力及び前第２領域ＦＣ２の着用時圧力は、前第３領域ＦＣ３の着用時の圧力よりも低い。前第１領域ＦＣ１及び前第２領域ＦＣ２は、着用者の腹部の膨らみに対向して配置され、前第３領域ＦＣ３は、着用者の腹部の下端の凹みに対向して配置される。前第１領域ＦＣ１の着用時圧力及び前第２領域ＦＣ２の着用時の圧力が前第３領域ＦＣ３の着用時の圧力よりも低く、前第３領域ＦＣ３において着用者の腹部の下端の凹みに対するフィット性を確保しつつ、前第１領域ＦＣ１及び前第２領域ＦＣ２において腹部の膨らみに対する締め付けを抑制できる。着用者が脚を上げる動作では、脚と腹部のそれぞれが互いに近づくように変形する。このとき、腹部の膨らみを締め付けないため、腹部が変形し易く、脚を上げ易くなる。
【００４６】
着用時に、腹部の下端の凹みに配置される前第３領域ＦＣ３が前第１領域ＦＣ１及び前第２領域ＦＣ２よりも凹む形状となる。前中央領域が身体の凹みに沿った形状となるため、前中央領域ＦＣが身体にフィットし易くなる。前中央領域を身体に対して密着させずに、前中央領域を身体に沿わせてフィットさせ、吸収性物品のずれを抑制できる。特に、体液の吸収によって吸収性物品の重量が重くなった場合においても、吸収性物品がずれ下がり難くなる。よって、吸収性物品を身体の適切な位置に装着し続けることができ、着用者が脚上げ動作を動かし易い状態を維持できる。
【００４７】
サイド第４領域ＳＲ４の着用時圧力は、サイド第３領域ＳＲ３の着用時圧力よりも低い。サイド第４領域ＳＲ４は、脚の付け根に対向して配置される。サイド第４領域ＳＲ４は、サイド第３領域ＳＲ３よりも脚回り開口部７２側に配置され、着用者が脚を上下に動かす動作において力をより受けやすい。サイド第４領域ＳＲ４の着用時の圧力がサイド第３領域ＳＲ３の着用時の圧力よりも低く、サイド第３領域ＳＲ３において身体に対するフィット性を確保しつつ、サイド第４領域にＳＲ４おいて脚の上下の動きを阻害しない。よって、着用者が脚を上下に動かし易くなる。
【００４８】
特に、乳幼児にあっては、腹部の膨らみが大きく、腹部の膨らみを締め付けないことにより、脚をより上げ易くなる。また、低月齢の乳幼児にあっては、脚を上下に動かす動作によって自己の身体を探索し易くなる。乳幼児が自己の身体を探索し易くなることは、この時期の乳幼児の発達にとって重要である。本実施の形態の吸収性によれば、乳幼児の発達に好適な影響を与えることができる。
【００４９】
前第３領域ＦＣ３の着用時圧力は、前第１領域ＦＣ１の着用時圧力及び前第２領域ＦＣ２の着用時圧力に対する１．２倍以上３．５倍以下であってよく、好適には、１．５倍以上３．０倍以下であってよい。前第３領域ＦＣ３の着用時圧力が前第１領域ＦＣ１の着用時圧力及び前第２領域ＦＣ２の着用時圧力に対する１．２倍以上であるため、腹部に対するフィット性を確保し、腹部全体のずれを抑制できる。吸収性物品１０を身体の適切な位置に装着し続けることができ、着用者が脚上げ動作を動かし易い状態を維持できる。
【００５０】
前第３領域ＦＣ３の圧力が前第１領域ＦＣ１の圧力及び前第２領域ＦＣ２の圧力に対する３．５倍以下であるため、腹部の下端の凹みに対して吸収性物品１０が密着し過ぎず、着用者がより身体を動かし易くなる。
【００５１】
また、各領域の着用時圧力を高くするために、後伸縮部材３２、前伸縮部材２２及び伸縮シートの少なくともいずれかを各領域に配置することができる。本実施の形態では、前伸縮部材２２、後伸縮部材３２及び伸縮シートの少なくともいずれかを各領域に配置している。
【００５２】
後第１領域ＲＣ１、後第２領域ＲＣ２及び後第３領域ＲＣ３では、伸縮シートが配置されてなく、幅方向の全域に亘って後伸縮部材３２が配置されており、後第４領域ＲＣ４では、伸縮シートが配置されてなく、幅方向の一部（幅方向の両側のみ）に後伸縮部材３２が配置されている。後第４領域ＲＣ４の幅方向の中央では、後伸縮部材３２を構成する弾性部材が非伸長状態で配置されてよい。
【００５３】
前第３領域ＦＣ３及び前第４領域ＦＣ４には、前伸縮部材２２及び伸縮シートが配置されており、前第１領域ＦＣ１及び前第２領域ＦＣ２には、前伸縮部材２２が配置されてなく、伸縮シートのみが配置されている。なお、他の形態において、前第４領域ＦＣ４には、伸縮シート又は前伸縮部材のみが配置されてもよい。
【００５４】
サイド第１領域ＳＲ１からサイド第４領域ＳＲ４は、前胴回り域Ｓ１と後胴回り域Ｓ２において構成が異なる。具体的には、前胴回り域Ｓ１のサイド第１領域ＳＲ１には、前伸縮部材２２が配置されてなく、伸縮シートのみが配置されており、前胴回り域Ｓ１のサイド第２領域ＳＲ２からサイド第４領域ＳＲ４には、前伸縮部材２２及び伸縮シートが配置されている。また、後胴回り域Ｓ２のサイド第１領域ＳＲ１からサイド第４領域ＳＲ４には、伸縮シートが配置されてなく、後伸縮部材３２が配置されている。なお、他の形態において、サイド第４領域ＳＲ４には、伸縮シート又は伸縮部材のみが配置されてもよい。
【００５５】
前第３領域ＦＣ３は、前伸縮部材２２が配置されており、前第１領域ＦＣ１及び前第２領域ＦＣ２には、伸縮シートが配置されてよい。伸縮シートが配置された部分は、全体的に面でフィットし、糸状又は帯状の前伸縮部材２２が配置された部分は、局所的にフィットする。腹部の膨らみを覆うように吸収性物品１０を配置するとともに、腹部の下端の凹みに対して局所的にフィットすることにより、腹部を圧迫することなく吸収性物品１０のずれを抑制し、着用者が脚上げ動作を動かし易い状態を維持できる。
【００５６】
前第３領域ＦＣ３には、前伸縮部材２２及び伸縮シートが配置されてよい。前第３領域ＦＣ３には、伸縮シートと前伸縮部材２２の両方が配置され、より圧力が高くなる。腹部の下端の凹みに対する締め付けと腹部の膨らみに対する締め付けとの差が大きくでき、腹部を圧迫することなく吸収性物品１０のずれを抑制し、着用者が脚上げ動作を動かし易い状態を維持できる。
【００５７】
サイド第３領域ＳＲ３の着用時圧力は、サイド第４領域ＳＲ４の着用時圧力に対する３．０倍以上であってよく、好適には、４．０倍以上であってよい。サイド第４領域ＳＲ４の圧力がサイド第３領域ＳＲ３の圧力に対する３．０倍以上であるため、腹部に対するフィット性を確保し、腹部全体のずれを抑制できる。着用者が脚上げ動作を動かし易い状態を維持できる。
【００５８】
サイド第４領域ＳＲ４の着用時圧力は、サイド第２領域ＳＲ２の着用時圧力よりも低くてよい。サイド第４領域ＳＲ４の着用時圧力がサイド第２領域ＳＲ２の着用時圧力よりも低いため、サイド第２領域ＳＲ２において身体に対するフィット性を確保しつつ、サイド第４領域ＳＲ４において脚の上下の動きを阻害しない。よって、着用者が脚を上下に動かし易くなる。
【００５９】
後第４領域ＲＣ４の着用時圧力は、前第１領域ＦＣ１の着用時圧力及び前第２領域ＦＣ２の着用時圧力よりも低くてよい。後第４領域ＲＣ４は、臀部の膨らみの頂点に対向して配置される。臀部の頂点に対する締め付け力が高すぎると、後第４領域ＲＣ４が下にずれるおそれがある。後第４領域ＲＣ４の着用時圧力を抑え、吸収性物品のずれ下がりを抑制できる。吸収性物品を身体の適切な位置に装着し続けることにより、着用者が脚上げ動作を動かし易い状態を維持できる。
【００６０】
後第３領域ＲＣ３の着用時圧力は、後第２領域ＲＣ２の着用時圧力よりも低くてよい。後第３領域ＲＣ３は、後第２領域ＲＣ２よりも臀部の膨らみの頂点の近くに配置される。装着時の吸収性物品の引き上げが十分でない場合に、後第３領域ＲＣ３が臀部の膨らみの頂点に重なり、臀部の頂点に対して締め付けるようにフィットした後第３領域ＲＣ３が下にずれるおそれがある。後第３領域ＲＣ３の着用時圧力が後第２領域ＲＣ２の着用時圧力よりも低いため、吸収性物品のずれ下がりを抑制できる。吸収性物品を身体の適切な位置に装着し続けることにより、着用者が脚上げ動作を動かし易い状態を維持できる。
【００６１】
図１及び図３に示すように、後胴回り域Ｓ２の前端部には、吸収性本体４０の外側部と外装体が接合されていない非接合領域ＮＲが設けられてよい。非接合領域ＮＲは、後胴回り部材３０の前端部において、吸収性本体４０の外側部と後胴回り部材３０が接合されていない領域である。図１及び図３において、非接合領域に斜線を付して示す。非接合領域ＮＲは、吸収性本体４０の外側縁から幅方向の内側に延び、かつ後胴回り部材３０の前端縁から後方に延びている。非接合領域ＮＲは、サイド第４領域ＳＲ４及び後第４領域ＲＣ４に跨がっている。非接合領域ＮＲを設けることにより、着用時に着用者が脚を動かした際に脚回り開口部７２が広がるように変形でき、着用者が脚をスムーズに動かすことができる。
【００６２】
図１に示すように、後胴回り域Ｓ２の前端縁における吸収性本体４０の幅方向Ｗの長さＷ４０２は、前胴回り域Ｓ１の後端縁における吸収性本体４０の幅方向Ｗの長さＷ４０１よりも長くてよい。前胴回り域Ｓ１における吸収性本体４０の幅方向Ｗの長さが比較的短いため、前胴回り域Ｓ１と後胴回り域Ｓ２で吸収性本体４０の幅方向の長さが同じ構成と比較して、脚回り開口部７２の寸法を大きくし、着用者が脚を動かし易くなる。
【００６３】
後胴回り域Ｓ２における吸収性本体４０の幅方向Ｗの長さが前胴回り域Ｓ１における吸収性本体４０の幅方向Ｗの長さよりも長いため、着用者の臀部の膨らみを適切に覆い易い。身体に対するフィットを確保し、吸収性物品１０のずれを抑制できる。また、後胴回り域Ｓ２において吸収性本体の幅方向の長さを確保しても、非接合領域ＮＲが設けられていることにより、脚の動かしやすさを維持できる。
【００６４】
後中央領域全体の着用時圧力は、前中央領域全体の着用時圧力よりも大きくてよい。一般的に人が動作をするときには、前側に前屈することが多い。腹側の着用時圧力を低下させることにより締め付けが起り難く、着用者の動作を阻害しない。よって、着用者が脚上げ動作をより容易に行うことができる。なお、後中央領域全体の着用時圧力は、後中央領域を構成する後第１領域ＲＣ１から後第４領域ＲＣ４の着用時圧力の合計値であり、前中央領域全体の着用時圧力は、前中央領域を構成する前第１領域ＦＣ１から前第４領域ＦＣ４の着用時圧力の合計値である。
【００６５】
ここで、各領域の着用時圧力は、以下の方法によって測定できる。まず、測定サンプル及び着用者を模式する円筒を準備する。測定サンプルは、前胴回り域及び後胴回り域をサイド接合部において接合した円筒状の吸収性物品とする。本実施の形態では、前胴回り部材と後胴回り部材を接合した測定サンプルを準備した。円筒は、測定サンプルに応じて作成する。伸長状態における吸収性物品の胴回り域の長さに対する７０％の外周となるアクリル板の円筒を準備する。本実施の形態では、乳幼児用の使い捨ておむつに順次する測定サンプルであり、46cm周長の円筒を準備した。吸収性物品を円筒に装着した状態で、各領域の幅方向の中央にエアパックを装着する。エアパックは、吸収性物品と円筒の間に挿入する。エアパックの直径は、１５ｍｍである。エアパックは、前第１領域ＦＣ１から前第４領域ＦＣ４の４か所、後第１領域ＲＣ１から後第４領域ＲＣ４の４か所、及びサイド第１領域ＳＲ１からサイド第４領域ＳＲ４の４か所のそれぞれに装着する。エアパックの中心が、各領域の幅方向の中心かつ長手方向の中心に位置するようにエアパックを装着する。
【００６６】
合計１２カ所のエアパックを用いて、各部分の圧力を測定する。各部分３回測定して、その平均値を算出する。前第１領域ＦＣ１から前第４領域ＦＣ４の着用時圧力及び後第１領域ＲＣ１から後第４領域ＲＣ４の着用時圧力は、平均値とする。サイド第１領域ＳＲ１からサイド第４領域ＳＲ４の着用時圧力は、左右の領域の圧力の平均値とする。
【産業上の利用可能性】
【００６７】
脚上げ動作をより容易に行うことができる吸収性物品を提供することができる。
【符号の説明】
【００６８】
１０    吸収性物品
２０    前胴回り部材
２２    前伸縮部材
３０    後胴回り部材
３２    後伸縮部材
５０    吸収コア
６０    サイド接合部
ＦＣ    前中央領域
ＦＣ１  前第１領域
ＦＣ２  前第２領域
ＦＣ３  前第３領域
ＦＣ４  前第４領域
ＳＲ    サイド領域
ＳＲ１  サイド第１領域
ＳＲ２  サイド第２領域
ＳＲ３  サイド第３領域
ＳＲ４  サイド第４領域
ＲＣ    後中央領域
ＲＣ１  後第１領域
ＲＣ２  後第２領域
ＲＣ３  後第３領域
ＲＣ４  後第４領域
ＮＲ  非接合領域
Ｓ１    前胴回り域
Ｓ２    後胴回り域
Ｓ３    股下域
Ｌ      長手方向
Ｗ      幅方向
【図１】
2020025748.tif 000004
【図２】
2020025748.tif 000005
【図３】
2020025748.tif 000006
【図４】
2020025748.tif 000007
【図５】
2020025748.tif 000008